(57)【特許請求の範囲】
【請求項１】
後上がりの傾斜面内で対向部が同期して後方回動する左右一対の搬送ベルト（３６）と、搬送ベルト（３６）の下方で同じく対向部が同期して後方回動する挟扼ベルト（３８）とからなる引抜・搬送装置（１６）の上下の中間部に引抜・搬送装置（１６）を駆動する駆動軸（５２）を設けるとともに、引抜・搬送装置（１６）を駆動軸（５２）の上下で下部引抜・搬送装置（５８）と上部引抜・搬送装置（６０）とで構成し、駆動軸（５２）を中心に上部引抜・搬送装置（６０）を左右に回動可能にして機体装置（１０）に搭載した甘薯蔓引抜機において、上部引抜・搬送装置（６０）に駆動軸（５２）を囲んで外周に幾つかの孔（６６）があけられたカバー筒（６２）を取り付け、カバー筒（６２）の孔（６６）からピン（７０）を出退させて上部引抜・搬送装置（６０）の回動の許容と規制を図るとともに、ピン（７０）を出退させるレバー（７２）を機体装置（１０）の後部に設けられる操縦用のハンドル（２８）の略中央部に設けたことを特徴とする甘薯蔓引抜機。
【請求項２】
上部引抜・搬送装置の左右側面に把手を設けた請求項１記載の甘薯蔓引抜機。
【発明の詳細な説明】
【０００１】
【発明の属する技術分野】
本発明は、畝に栽培された甘薯を収穫するに際してその蔓を引き抜く甘薯蔓引抜機に関するものである。
【０００２】
【従来の技術】
土中で生育した甘薯を収穫するには、地上に這う蔓を取り払わなければならない。甘薯の蔓は地上に層をなして繁茂しており、且つ、互いに強固に絡み合って網状になっている。従って、これを機械的に引き抜いて行くには、機体の両側に切断装置を設けてこれで蔓を所定幅に切断し、中央部に引抜・搬送装置を設けて切断幅の間に存在する蔓を強制的に引き抜き、後方に搬送して機外へ排出する構成をとる。
【０００３】
【発明が解決しようとする課題】
この場合、引き抜いた蔓の排出箇所は、畝と畝との間の畦になるのが通常である。このため、引抜・搬送装置の後端を左右いずれかの排出先の畦に向けて振っているが、作業形態によってはこの振回し（回動）を回行の度毎に行わなければならないこともある。
本発明は、このような場合を想定し、回動操作の容易性と迅速性を確保するようにしたものである。
【０００４】
【課題を解決するための手段】
以上の課題の下、本発明は、後上がりの傾斜面内で対向部が同期して後方回動する左右一対の搬送ベルトと、搬送ベルトの下方で同じく対向部が同期して後方回動する挟扼ベルトとからなる引抜・搬送装置の上下の中間部に引抜・搬送装置を駆動する駆動軸を設けるとともに、引抜・搬送装置を駆動軸の上下で下部引抜・搬送装置と上部引抜・搬送装置とで構成し、駆動軸を中心に上部引抜・搬送装置を左右に回動可能にして機体装置に搭載した甘薯蔓引抜機において、上部引抜・搬送装置に駆動軸を囲んで外周に幾つかの孔があけられたカバー筒を取り付け、カバー筒の孔からピンを出退させて上部引抜・搬送装置の回動の許容と規制を図るとともに、ピンを出退させるレバーを機体装置の後部に設けられる操縦用のハンドルの略中央部に設けたことを特徴とする甘薯蔓引抜機を提供したものである。
【０００５】
本発明が以上の手段をとることにより、引抜・搬送装置の左右への回動操作が容易、迅速になる。即ち、一方の手でこのレバーを握り、他方の手で引抜・搬送装置を掴んで左右へ回動できるのである。この場合、レバーと引抜・搬送装置を掴む手に右手、左手の違いはあっても左右どちらの回動でも同じである。従って、機体を走行させながらこの作業ができ、作業の能率も上がる。
【０００６】
【発明の実施の形態】
以下、本発明の実施の形態を図面を参照して説明する。図１は本発明の一例を示す甘薯蔓引抜機の側面図、図２は平面図、図３は正面図、図４は引抜・搬送装置の要部平面図、図５は側面図であるが、甘薯蔓引抜機は、機体装置１０と、この機体装置１０に装備される切断装置１２、押畝装置１４、引抜・搬送装置１６等とから構成される。
【０００７】
機体装置１０は、荷担走行機能を有するもので、車輪１８で支えられる機枠２０にエンジン２２やミッション２４等を搭載したものであり、加えて、前部には機枠２０の高さを決めるゲージホイル２６が、後部には操縦用のハンドル２８が設けられている。
【０００８】
切断装置１２は、蔓を切断するもので、機枠２０の前面の両側に設けられる。本例の場合、縦型のバリカン３０を主体としており、このバリカン３０によって蔓は切断される。尚、切断装置１２には、地上に這う蔓を引き起こす引起杆３２や切断する蔓を分ける分蔓杆３４も設けられている。
【０００９】
押畝装置１４は、蔓を引き抜く間、甘薯を土中に留め置くものである。本例の場合、切断装置１２の後方で、車輪１８の前方辺りに、畝の上面を転動する鼓形のローラ３５を前後に何個か並列させたものを左右一対、機枠２０に吊設したもので構成している。
【００１０】
引抜・搬送装置１６は、蔓を引き抜いて後方に搬送し、機外へ排出するものである。その構成は、後上がりの傾斜面内で所定間隔隔てた対向部が同期して後方回動する左右一対の搬送ベルト３６と、搬送ベルト３６の下方で、同じく対向部が同期して後方回動する左右一対の挟扼ベルト３８とからなる。
【００１１】
このうち、搬送ベルト３６は、下部搬送ベルト４０と上部搬送ベルト４２に分けられており、それぞれ前後に設けられたプーリ４４、４６、４８、５０に突起付きベルトを張り掛けたものである。本例における上部搬送ベルト４２は、下部搬送ベルト４０の後部側のプーリ４６を固着する駆動軸５２を支点として左右に回動できるようにしてある。
【００１２】
挟扼ベルト３８は、前後に設けたプーリ５４、５６に対向部を接触させた状態で平ベルトを張り掛けたものである。但し、挟扼ベルト３８の始端は、下部搬送ベルト４０の始端よりも後方位置で、押畝装置１４の前方辺りに設けている。従って、上部搬送ベルト４２を回動させるときには、挟扼ベルト３８は途中から折れ曲がることになる。
【００１３】
ここでは、下部搬送ベルト４０と挟扼ベルト３８等の構成を下部引抜・搬送装置５８、上部搬送ベルト４２と挟扼ベルト３８等の構成を上部引抜・搬送装置６０と呼称する。従って、回動するのは、上部引抜・搬送装置６０ということになる。
【００１４】
この場合、駆動軸５２に伝えられた動力は、これに固着された下部搬送ベルト４０の後部側プーリ４６と挟扼ベルト３８の中間プーリ５５に伝えられ、下部搬送ベルト４０と挟扼ベルト３８を回動させる。挟扼ベルト３８の後部側プーリ５６の軸には上部搬送ベルト４２の後部側プーリ５０が取り付けられており、このプーリ５６に伝えられた動力で上部搬送ベルト４２を回動させる構造となっている。
【００１５】
以上により、畝を這っている蔓は、まず、下部引抜・搬送装置５８の下部搬送ベルト４０によって掻い込まれ、次いで、挟扼ベルト３８で挟扼され、この両者によって後方へ搬送される。そして、上部引抜・搬送装置６０の上部搬送ベルト４２と挟扼ベルト３８に引き継がれてその終端から排出される。このとき、甘薯は、押畝装置１４のローラ１６で押さえられて土中に留め置かれる。
【００１６】
上部引抜・搬送装置６０は、駆動軸５２を中心に回動することは前述したが、その構成は、駆動軸５２を覆うカバー筒６２に各プーリを取り付けるフレーム６４を連設し、カバー筒６２を駆動軸５２の回りに回動させるようにしている。この場合、カバー筒６２に幾つかの孔６６をあけた割出板６８を取り付け、孔６６にピン７０を出退させて回動の許容と規制をしている。
【００１７】
ピン７０は、ハンドル２８に取り付けたレバー７２と操作索７４で繋がっており、レバー７２を握ってピン７０を孔６６から引き抜けば回動が可能になり、レバー７２を離してピン７０を孔６６に差し込めば（ピン７０はスプリング７６によって孔６６側に付勢されている）回動は規制される仕組みである。
【００１８】
この場合、レバー７２は、ループ型をしたハンドル２８の略中央部に設けられているのである。これにより、上部引抜・搬送装置６０をどちらの方向に回動させるときでも、一方の手でレバー７２を操作し、他方の手で上部引抜・搬送装置６０を回動できる。具体的には、右方向へ回動させようとするときには、左手でレバー７２を握り、右手で上部引抜・搬送装置６０に設けられた後述する把手を掴んで回動させるのであり、左方向に回動させるときにはこれと逆になる。
【００１９】
この他、この甘薯蔓引抜機には以下に述べる幾つかの特徴的構成も施されている。上部搬送ベルト４２と挟扼ベルト３８とは上下に一定間隔あけて設けられているが、その終端の回動部には、この空間を塞ぐ半円筒形のカバー７８が設けられている。挟扼された蔓はここで放出されなければならないのであるが、このようなカバー７８を設けることで、この空間への蔓の連れ回りによる噛み込みが防止できる。
【００２０】
搬送ベルト３６、挟扼ベルト３８とも、その露出をできるだけ避けるようにしている。まず、搬送ベルト３６は、下部搬送ベルト４０及び上部搬送ベルト４２とも、その上方と外側方を覆うカバー８０、８１を設けている。このうち、上部搬送ベルト４２と挟扼ベルト３８との間の隙間には縦カバー８２を設けている。
【００２１】
フレーム６４の後部には、側面に張り出すコ字形の把手８４を取り付けており、上部引抜・搬送装置の６０を回動させるときにはこの把手８４を掴むようにして便利性に供している。更に、挟扼ベルト３８の外側方を覆うカバー８６も設けている。このカバー８６は、回動に支障を来さない範囲で前部と後部それぞれに設けられている。
【００２２】
上部引抜・搬送装置６０は、前後のプーリを取り付けるフレーム６４が左右一対設けられるものであるから、常に互いは引っ張り合っていなければならない。このため、フレーム６４の前後二箇所にピン８８、９０を下向きに突設し、このピン８８、９０にそれぞれスプリング９２、９４を張り掛けて互いを引っ張り合わせている。
【００２３】
この場合、スプリング９２、９４が露出していると、蔓が絡んだりするから、ピン８８、９０に断面コ字形のカバー９６、９８を通してスプリング９２、９４の上方を覆っている。そして、このカバー９６、９８の挿通孔を左右に長孔１００、１０２等にしてカバー９６、９８はピン８８、９０に対して左右に動くようにしている。フレーム６４の開きに対処するためと、蔓の通過をスムーズに行わせるためである。
【００２４】
この他、下部搬送ベルト４０のカバー８０の後端には補助カバー１０４を取り付け、この補助カバー１０４の中に上部搬送ベルト４２のカバー８１を突入させている。又、車輪１８の外側面にもカバー板１０６を貼設し、スポークを露出させないようしている。いずれの場合も、蔓等をこれらの部分に侵入させないためである。
【００２５】
【発明の効果】
以上、本発明によれば、引抜・搬送装置の左右への回動操作が容易、迅速になる。即ち、一方の手でこのレバーを握り、他方の手で引抜・搬送装置を掴んで左右へ回動できるからである。従って、機体を走行させながらこの作業ができ、作業の能率も上がる。
【図面の簡単な説明】
【図１】  本発明の一例を示す甘薯蔓引抜機の側面図である。
【図２】  本発明の一例を示す甘薯蔓引抜機の平面図である。
【図３】  本発明の一例を示す甘薯蔓引抜機の正面図である。
【図４】  本発明の一例を示す甘薯蔓引抜機の引抜・搬送装置の一部平面図である。
【図５】  本発明の一例を示す甘薯蔓引抜機の引抜・搬送装置の一部側面図である。
【符号の説明】
１０  機体装置
１６  引抜・搬送装置
２８  ハンドル
３６  搬送ベルト
３８  挟扼ベルト
５２  駆動軸
５８  下部引抜・搬送装置
６０  上部引抜・搬送装置
６２  カバー筒
６６  孔
７０  ピン
７２  レバー
８４  把手
【図１】
0003725306.tif 000002
【図２】
0003725306.tif 000003
【図３】
0003725306.tif 000004
【図４】
0003725306.tif 000005
【図５】
0003725306.tif 000006